(57)【要約】      （修正有）【課題】ちりとりの幅より狭い箇所のゴミ掃き込みと、地面又は床面の凹凸起伏の強い箇所でのゴミ掃き込みを可能にし、さらに収納したゴミの再飛散防止を可能としたちりとりを提供する。【解決手段】  ちりとりの形状をメガホン型円錐体にする事により、柔軟にゴミ掃き込み口を変形可能にし、狭い隙間箇所へもちりとりの挿入を可能とした。また、メガホン型は防風効果もありゴミの飛散防止効果があるが、ゴミ収納袋の連結によりゴミの飛散防止を完全なものとした。清掃箇所の凹凸起伏に対しては、ゴミ掃き込み口先端を尖る様に延ばす事により柔軟性を持たせ、ゴミ掃き取りを可能にした。【選択図】  図１１
2005288133.tif 000002
【特許請求の範囲】
【請求項１】
ちりとり本体の形状は、円錐形すなわちメガホン型をなし、両サイドに開口部を有する。
【請求項２】
一方の広い開口部の底面が地面や床との設置部となる。この開口部の形状は、ゴミを掃き入れ易いよう接触作用面、すなわち底面部の面積をできるだけ広くするため、筒を底面に向かって裾広がりの斜め切りの形状を成す。
【請求項３】
ちりとりの地面や床との設置面の中央の先端の形状は、狭細部にも対応できるよう、単なるアーチ型でなく、尖型とする。
【請求項４】
ちりとり本体の素材は、人のごく普通程度の力の加え方により、自在に形状変化可能な柔軟かつ弾力があり、変形しても力を解除することにより、速やかにもとの形状に戻るという形状記憶素材とする。柔軟にもかかわらず、強靱で傷がつきにくく、水分の吸収のない、静電気の起きにくい軽量のものとする。
【請求項５】
把手部分はトング型またはピンセット型で、両脚でメガホン型ちりとり本体の両サイドを挟む形で、接続器具で取り付けられており、可動で、ちりとり本体と着脱可能な構造とする。
【請求項６】
ちりとり本体の、掃き取り設置面と反対側の末尾の開口部周囲に、ゴミ袋を着脱できる機能を取り付ける。
【発明の詳細な説明】
【技術分野】
【０００１】  本発明は、掃き集めたゴミをちりとりに取る作業の際、作業範囲が従来のちりとりのように制限されることなく、他の機能も付加されたちりとりに関するものである。
【背景技術】
【０００２】  従来のちりとりは、ゴミを掃き取る際に設置する対象となる地面や床は、原則的に表面に凹凸がなく、曲線のない平面に限られている。【０００３】  従来のちりとりの、地面や床との設置掃き取り口の形状は直線的であり、しかも形状変化しない硬い素材でできているため融通がきかず、設置対象の領域が狭められていた。すなわち設置面の幅も制限され、各々のちりとりの設置開口部の幅より広い場所には適応できるが、ちりとりの幅より狭い場所での設置は困難で、作業に限界があった。【０００４】  屋外で風の強い日に、落葉や軽量のゴミを掃き取る際、従来の普通タイプのちりとりでは、ゴミは風に舞い散乱し、能率の良い作業は困難であった。風による散乱防止用の蓋付きのちりとりもあるが、概して重く操作しにくく、また嵩張り、収納場所をとるという欠点もある。【０００５】  ちりとりの役目は、掃き集めたゴミをゴミ箱やゴミ袋など最終収集場所に運ぶための、一時的な移動収納場所で、単に仲介の役目でしかない。
【発明の開示】
【発明が解決しようとする課題】
【０００６】  解決しようとする問題点は、ゴミを掃き取る際、ちりとりを設置する対象の地面や床の表面が、必ずしも凹凸がなく、曲線のない平面とは限らないにもかかわらず、従来のちりとりは、対象が原則的に平面に制限されていた。また設置面の幅も大小様々あるにもかかわらず、ちりとりの幅は変形せず一定で固定した大きさなので、適応サイズは制限され、作業に限界がある。作業可能な最小幅はちりとりの設置幅となり、それより狭い場所での使用は困難である。また従来のちりとりのゴミ収納部が風よけの構造を持たない開放的な構造となっており、風に対してのゴミ散乱防止対策が考慮されていない。散乱防止の蓋付きのちりとりもあるが、概して大型で重く操作しにくく、嵩張り、収納にも場所を取る。また、ちりとりの役目は、掃き集めたゴミをゴミ箱やゴミ袋など最終収集場所に運ぶための一時的な移動収納場所で、単に仲介の役目でしかないので、必ず収納したゴミを再び入れなおすという二度手間を余儀なくされる。
【課題を解決するための手段】
【０００７】  解決するためには、ゴミを掃き取る際、ちりとりを設置する対象の地面や床の形状、幅に、ちりとりの接する面が適合するよう自在に変形対応できるようにする。またゴミの風による散乱防止のため、風よけになる構造を持ち、本体は軽量で、しかも使用後はなるべく嵩張らず収納できるようにする。ちりとり本体の掃き取り設置面と反対側の末尾にも開口部を設け、その周囲にゴミ袋を着脱できる機能を取り付けることにより、一旦ちりとりに収納したゴミは、ちりとり本体を上に傾けることにより、ちりとりの末尾に装着されたゴミ袋に自動的に入り、再び捨て直すという手間を省略することができる。
【発明の効果】
【０００８】  本発明のちりとりは、ゴミを掃き取る際の設置面である地面や床の形状、幅に応じて、ちりとりの接触作用面が自在に変形対応できるため、今迄対象でなかった曲面や凹凸面、狭い場所でも適応できる。すなわち、ちりとりで取ることを諦めていた様々な形状、幅、深さの溝や樋に溜まったゴミも不都合なく掃き取れる。また、風よけになる構造を有するので、風の強い日でもゴミが散乱することなく容易に能率よく作業ができる。本体は軽量で操作もし易く、使用後収納時には可動な構造になっている把手により、嵩張らず収納できる。またちりとりの末尾にゴミ袋を着脱できる機能を取り付けることにより、ちりとりに取り込まれたゴミは、ちりとり先端を上向きに傾けることにより、末尾開口部より自動的にそのゴミ袋に移動し、ゴミ袋に入れ替える手間も省ける。
【発明を実施するための最良の形態】
【０００９】  ちりとり本体は、円錐形のメガホン型で、両サイドに開口部を持つ。一方の広い開口部が地面や床との接触作用面となる。開口部の形状は、ゴミを掃き入れ易いよう、接触作用面、すなわち底面部の面積を上部より広くするため、筒を底面に向かって裾広がりの斜め切りにした形状をなす。また狭細部にも対応できるよう、ちりとりの底面の、接触作用面の中央の先端の形状は、単なるアーチ型でなく、尖型とする。もう一方の末尾のより小さい開口部の周囲には、ゴミ袋を着脱できる突起を設ける。これにより  一旦ちりとりの中に取り入れられたゴミは、風の直接当たりにくい筒内に収納され、散乱することもなく、ちりとり先端を上向きに傾けることにより、自動的に末尾に装着されたゴミ袋に収納される。ちりとり本体の素材は、人のごく普通程度の力の加え方により、自在に形状変化可能な柔軟かつ弾力があり、変形しても力を解除することにより、速やかにもとの形状に戻るという形状記憶素材とする。柔軟にもかかわらず、強靱で傷がつきにくく、水分の吸収のない、静電気の起きにくい軽量のものとする。把手部分はトング型またはピンセット型をしており、その両脚の先端で、メガホン型ちりとり本体の両サイドを挟む形で、接続器具で取り付けられている。把手部分は可動で、ちりとり本体と着脱可能な構造とする。把手の両脚の把持する力加減により、間に挟まれたメガホン型ちりとり本体が、自在に変形し、掃き取り設置面に適合する。
【実施例１】
【００１０】  図１は、本発明のメガホン型ちりとりの本体の斜視図で、末尾の開口部が、単に円錐形の尖った角を  垂直に切った形状をしている。１〜５は、図２〜図２１と同様である。図１１は、ちりとり本体に把手を接続した斜視図で、ちりとり本体の両サイドを挟む形で、接続器具で取り付けられているので、可動である。【００１１】  図８は、地面や床との設置面が広い場合に、それに適合させるため、ちりとりの底面部を広く変化させた時の正面図で、ちりとりの幅はａとなっている。図９は、地面や床との設置面が狭い場合に、それに適合させるため、ちりとりの底面部を狭く変化させた時の正面図で、ちりとりの幅はｂとなっている。【００１２】  図１０は、ちりとり末尾にゴミ袋を装着した図で、ちりとりに一旦掃き入れられたゴミは、ちりとり先端を上部に傾けることにより、図１５のように末尾にゴミ袋に自然落下する。
【実施例２】
【００１３】  図１６は、本発明のメガホン型ちりとりの本体の斜視図で、円錐形の尖った末尾の筒部分が緩やかに上向きに曲り、その曲った部に開口部を持つので、開口部が上向きにあるタイプ。このほうが、ちりとり内に入ったゴミが、末尾より外に飛び散りにくい。
【産業上の利用可能性】
【００１４】  特に一般家庭で必要に迫られる様々な場所で、色々な種類のゴミの掃き取りに対応可能で、対応別にちりとりの種類を揃えなくても、ほぼこのちりとり一つで用が足りる。その上、従来のちりとりでは、掃き取れなかった場所のゴミまで容易に掃き取れ、掃除の範囲も広がる。また風の強い日でもゴミが舞い散ることなく、末尾に装着されたゴミ袋に直接的に内部移動として収納できるので、ゴミを袋に投入のため、ちりとりを移動し再び捨てる手間も省け、能率の良い仕事ができる。把手が可動で、しかもちりとり本体と着脱可能なので、把手の角度を変形させ、狭い場所でも嵩張らないように収納もできる。
【図面の簡単な説明】
【００１５】
【図１】  末尾の開口部が、真直ぐな円錐形を垂直に切った形状を持つ、メガホン型ちりとり本体の斜視図。（実施例１）
【図２】  図１の一方の側面図。
【図３】  図１の正面図。
【図４】  図１の背面図。
【図５】  図１の平面図。
【図６】  図１の底面図。
【図７】  把手の正面図。
【図８】  把手の一方の側面図。
【図９】  把手の平面図。
【図１０】  把手の底面図。
【図１１】  ちりとり本体に把手を取りつけ、把手が可動なことを示す斜視図。
【図１２】  ちりとりの底面部を広く変化させた時の正面図で、ちりとりの幅はａ。
【図１３】  ちりとりの底面部を狭く変化させた時の正面図で、ちりとりの幅はｂ。
【図１４】  ちりとり末尾にゴミ袋を装着した図。
【図１５】  ちりとり先端を上部に傾けることにより、一旦ちりとり内に入ったゴミは、末尾に装着されゴミ袋に自然落下する。
【図１６】  円錐形の尖った末尾の筒部分が緩やかに上向きに曲り、その曲った部に開口部を持つ、開口部が上向きにあるタイプのメガホン型ちりとり本体の斜視図。（実施例２）。
【図１７】  図１６の一方の側面図。
【図１８】  図１６の正面図。
【図１９】  図１６の背面図。
【図２０】  図１６の平面図。
【図２１】  図１６の底面図。
【符号の説明】
【００１６】  １  ゴミの掃き取り口。
２  末尾のゴミ通過口。
３  末尾のゴミ袋設置用突起。
４  把手を接続する器具の穴。
５  ちりとりの底面の接触作用面の中央の先端の形状は、狭細部にも対応できるよう単なるアーチ型でなく、尖型となっている。
【図１】
2005288133.tif 000003
【図２】
2005288133.tif 000004
【図３】
2005288133.tif 000005
【図４】
2005288133.tif 000006
【図５】
2005288133.tif 000007
【図６】
2005288133.tif 000008
【図７】
2005288133.tif 000009
【図８】
2005288133.tif 000010
【図９】
2005288133.tif 000011
【図１０】
2005288133.tif 000012
【図１１】
2005288133.tif 000013
【図１２】
2005288133.tif 000014
【図１３】
2005288133.tif 000015
【図１４】
2005288133.tif 000016
【図１６】
2005288133.tif 000017
【図１７】
2005288133.tif 000018
【図１８】
2005288133.tif 000019
【図１９】
2005288133.tif 000020
【図２０】
2005288133.tif 000021
【図２１】
2005288133.tif 000022
【手続補正書】
【提出日】平成16年7月9日(2004.7.9)
【手続補正１】
【補正対象書類名】特許請求の範囲
【補正対象項目名】全文
【補正方法】変更
【補正の内容】
【特許請求の範囲】
【請求項１】
ちりとり本体の形状は、メガホン型の円錐型とし、その両サイドの開口部の大きな方の口はゴミの掃き入れ口とし、小さい方の口はゴミ袋を取り付け、掃き入れたゴミをゴミ袋に移行させるための口として構成する。
【請求項２】
ゴミを掃き入れ易いように、メガホン型の円錐の大きい開口部を斜めに切りゴミを掃き入れ易くした形態とする。
【請求項３】
斜め切りしたメガホン型ちりとりの開口部接地面の先端を引き出し三角形に尖がらせる事により、幅の狭い場所のゴミの掃き集めも容易にした形態とする。
【請求項４】
ちりとり本体の材質は、柔軟で弾力性のあるプラスチックス又は金属鋼板を使用し、炭挟み型把手の挟み圧と地表面への押さえ圧により自在に本ちりとりのゴミ掃き入れ幅を変えられる技術。
【請求項５】
ちりとりの把手の形態は、トング型又は炭挟み（火挟みとも言う）型とし、ちりとり本体を挟むように取り付ける事により、把手の握り圧の強弱で自在にちりとりの幅を変えられる機構とする。
【請求項６】
メガホン型ちりとり本体のゴミ掃き込み口の反対側に小口径のゴミ排出口を設け、この小口径のゴミ排出口に加工するゴミ袋取り付けリブを介して、安価な輪ゴムのバンドでゴミ袋を取り付け可能にして成るちりとりのシステム機構とする。
【手続補正２】
【補正対象書類名】明細書
【補正対象項目名】全文
【補正方法】変更
【補正の内容】
【発明の詳細な説明】
【０００１】（技術分野）
本発明は、掃き集めたゴミをちりとりに取る際、広い場所のみならず狭い場所、例えば道路の側溝の中でも対応できるちりとりに関する技術である。
【０００２】（背景技術）
従来のちりとりは、ゴミを巧く掃き取れるのは、ちりとりの掃き取り口が硬く直線状の形状であるために平らな平面状の場所に限られていた。
【０００３】  硬い材質でできた角形に近い従来のちりとりでは、その掃き取り口の幅より狭い箇所での使用はできなかった。
【０００４】  風の強い所でのちりとり使用では、ゴミのちりとり内からの再散乱があり、その防止策としてちりとりに蓋を取り付けた仕様のちりとりもあるが、扱いが面倒なものであった。
【０００５】  ちりとりに集めたゴミはゴミ箱に捨てられるが、その際、再びゴミ又はチリを空気中に散らす事と成り衛生上は好ましくなかった。
【０００６】（発明の開示）（発明が解決しようとする課題）
ゴミ掃き取り箇所の条件に対応して、多様にその形状を変化させてゴミを掃き込めるちり取りの発明を課題とする。
（イ）ちりとりの幅より狭い箇所での使用を可能にする柔軟性を持たせる。
（ロ）ちりとりの幅より掃き込み口が柔軟に広がり、広い箇所で使い易くする。
（ハ）平坦な箇所だけでなく、凹凸起伏のある箇所でもゴミ取りが可能な掃き込み口の形状を考案する。
（ニ）ちりとりに掃き込んだゴミを捨てる際、再びゴミ又はチリを空気中に散逸を防ぐゴミ袋を直結する仕様を課題とする。
【０００７】（課題を解決するための手段）
多様なゴミ取り箇所の条件に対応のため下記の手段でその形状を変化させる事により課題を解決した。
課題（イ）の手段
ちりとり本体を柔軟なプラスチックス又は薄い鋼板でメガホン型の円錐体に作り、そのちりとり本体を炭挟み状の把手で挟む様に取り付けて成るちりとりで、把手にちりとり本体を挟む力を強く加える事により、ちりとりの幅は狭くなり、狭い箇所にもちりとりを持ち込める様に成る。
課題（ロ）の手段
柔軟なプラスチックス又は薄い鋼板でできたメガホン型ちりとりは、把手を持って地面又は床面に軽く押し付ける事により、ちりとりの掃き込み口は円形から楕円形に変形してゴミの掃き込み口を広げる。
課題（ハ）の手段
凹凸起伏の箇所での条件は、ゴミ掃き込み口の先端が細く尖っている事と、その先端部分が柔軟で凹凸起伏に追従できる事で、本考案に於いては、円錐体を斜めに切ったゴミ掃き込み口先端をさらに延ばして尖らし、その材質の柔軟性と共に凹凸起伏の箇所に対応する。
課題（ニ）の手段
メガホン型ちりとりの小開口部位にゴミ袋を輪ゴムのバンドで取り付けられるように考案した。尚、ゴミ袋の抜け落ち防止のためこの小開口部の外周に引っ掛かりのリブを設けて保持を確実にした。又、この小開口部を上向けにデザインする事により一旦ゴミ袋に収納されたゴミの逆流を防ぐ効果が向上する。ゴミ捨ては、ゴミの入った袋をちりとり本体から外して、ゴミ袋を連結していた輪ゴムのバンドでゴミ袋の口を堅く縛り廃棄する。
【０００８】（発明の効果）
ちりとりのかたちをメガホン型の円錐体に考案する事により、ちりとり本体に変形可能な弾力を与える事ができ材質の柔軟性と相俟って、使用箇所の状態によってちりとりを自由に変形して、広い場所にも狭い溝のような箇所にも使え、凹凸起伏の大きい箇所にもゴミ掃き入れ口先端を長く尖らす事により起伏に追従してゴミが容易に掃き込める様に成った。又、ゴミ袋連結の考案により、風によるちりとり内よりのゴミの飛散と、ゴミ捨て時に於けるゴミ又はチリの飛散防止が可能に成った。又、メガホン型のちりとり自体も風を防ぎゴミ飛散をさせにくい構造を持つものである。
【０００９】（発明を実施するための最良の形態）
ゴミ掃き取り箇所の広い、狭い、地面又は床面の凹凸起伏にも対応して、しかも掃き集め収納したゴミは飛散させないちりとりの最良の形態は、弾力があり変形に柔軟に対応できる筒形即ちメガホン型の円錐体であり、その両端部にゴミ掃き込み口と成る大開口部とゴミを連結するゴミ袋に排出する小開口部を持つ形状の本体とする。尚、大開口部は、ゴミの掃き込みが仕易い様に斜めにカットし、さらにその尖端部を少し尖らす様に延ばして置く事により凹凸起伏にも柔軟に対応できる。把手は炭挟みの形状で、メガホン型ちりとりの本体を挟む様なかたちで取り付けて成る形態で、把手の挟み握り圧と、地面又は床面への押さえ圧により本ちりとりのゴミ掃き込み口幅の形状を自在に変えられるものである。ゴミ袋はちりとり本体の小開口部に輪ゴ厶のバンドにて連結し、ゴミ掃き込み口に掃き込んだゴミを収納する。
【００１０】（実施例１）
図１は、本発明のメガホン型ちりとり本体の斜視図で、ゴミ掃き込み口（１）の大開口部は斜めにカットされゴミを掃き込み易くしている。この斜めカットの尖端部（５）は、カット面より尖る様に延ばし地面又は床面の凹凸起伏に柔軟に添う様にしている。ゴミ袋を取り付ける小開口部（２）は、メガホン型の円錐体の垂線に直角にカットする。図７は、把手の斜視図で、把手を接続するビス孔（４）を通してちりとり本体を挟むかたちでビス及びナットによって接続する。尚、接続した把手は、可動で、その斜視図は図８に示す。
【００１１】  図９は、広い場所でのゴミ掃き込みが仕易い様に、把手を地面又は床面に押すようにしてゴミ掃き込み口の幅を広げた時の正面図である。図１０は、狭い箇所のゴミ掃き込みに、把手を炭挟みの様に強く挟んでちりとりの幅を狭くした時の正面図である。
【００１２】  図１１は、ちりとり本体の後部小開口部にゴミ袋を輪ゴムのバンドで連結した時の斜視図である。図１２は、ちりとり内に掃き込んだゴミが掃き込み口を上に向ける事によりゴミ袋に落下して行く状態を示す斜視図である。
【００１３】（実施例２）
図１３は、本発明のメガホン型ちりとりの後部小開口部を斜め上向きにデザインした斜視図で、その特長は、ゴミ袋内に収納したゴミのちりとり内への逆流を防ぐ効果と、ゴミ袋を連結していない状態でも、ちりとり内に掃き込んだゴミは、この小開口部よりこぼれ落ちる事なく、ちりとりとしての機能を維持するものである。
【００１４】（産業上の利用可能性）
狭い箇所で使用可能、ゴミの飛散防止、ゴミは袋ごと捨て再飛散が無い、等の機能から用途は、各種製造工場の狭い機械間の清掃、又は落ちた部品の掃き集め、各種試験室の埃りを嫌う場所、医院や病院施設にて狭い箇所の部分清掃で特に埃やチリを嫌う場所、小型に作りＯＡのデスク上の清掃や食堂、レストランのテーブル上の清掃に有効。勿論、家庭に於ける電気掃除機の補助手段として狭い箇所の部分清掃や側溝の中などの清掃に威力を発揮する。
【図面の簡単な説明】
【００１５】
【図１】  メガホン型ちりとり本体の斜視図
【図２】  ちりとり本体の側面図
【図３】  ちりとり本体の正面図
【図４】  ちりとり本体の背面図
【図５】  ちりとり本体の平面図
【図６】  ちりとり本体の底面図
【図７】  炭挟み型把手の斜視図
【図８】  ちりとり本体に把手を取り付けた斜視図で、把手の可動性を示す
【図９】  把手を下に押し、ちりとり掃き込み口を広げた時の正面図
【図１０】  把手を強く挟み、ちりとり幅を狭くした時の正面図
【図１１】  ちりとり後部の小開口部にゴミ袋を連結した時の斜視図
【図１２】  掃き込み口を上に向け、ゴミ袋にゴミを落とすちりとりの斜視図
【図１３】  後部の小開口部を斜め上向きにデザインしたちりとりの斜視図
【図１４】  図１３の側面図
【図１５】  図１３の正面図
【図１６】  図１３の背面図
【図１７】  図１３の平面図
【図１８】  図１３の底面図
【符号の説明】
【００１６】  １  ゴミ掃き込み口
２  後部開口部ゴミ袋の連結口
３  後部開口部のゴミ袋連結用突起リブ
４  把手を接続するビス孔
５  狭く凹凸不整床面対応の、延長され尖ったゴミ掃き込み口先端部
６  把手接続ビス
７  ゴミ袋
８  ゴミ袋連結バンド（輪ゴム）
【手続補正３】
【補正対象書類名】図面
【補正対象項目名】全図
【補正方法】変更
【補正の内容】
【図１】
2005288133.tif 000023
【図２】
2005288133.tif 000024
【図３】
2005288133.tif 000025
【図４】
2005288133.tif 000026
【図５】
2005288133.tif 000027
【図６】
2005288133.tif 000028
【図７】
2005288133.tif 000029
【図８】
2005288133.tif 000030
【図９】
2005288133.tif 000031
【図１０】
2005288133.tif 000032
【図１１】
2005288133.tif 000033
【図１２】
2005288133.tif 000034
【図１３】
2005288133.tif 000035
【図１４】
2005288133.tif 000036
【図１５】
2005288133.tif 000037
【図１６】
2005288133.tif 000038
【図１７】
2005288133.tif 000039
【図１８】
2005288133.tif 000040
【手続補正書】
【提出日】平成16年9月6日(2004.9.6)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  本発明は、掃き集めたゴミをちりとりに取る際、ちりとりの掃き取り口を自在に変化させて、広い場所のみならず狭い場所、例えば道路の側溝の中でも対応できるちりとりに関する技術である。
【背景技術】
【０００２】  従来のちりとりは、ゴミを巧く掃き取れるのは、ちりとりの掃き取り口が硬く直線状の形状で柔軟性がなかったため、平らな平面状の場所に限られていた。【０００３】  硬い材質でできた角形に近い従来のちりとりでは、その掃き取り口の幅より狭い箇所での使用はできなかった。【０００４】  風の強い所でのちりとり使用では、ゴミのちりとり内からの再散乱があり、その防止策としてちりとりに蓋を取り付けた仕様のちりとりもあるが、扱いが面倒なものであった。【０００５】  ちりとりに集めたゴミはゴミ箱に捨てられるが、その際、再びゴミ又はチリを空気中に散らす事と成り衛生上は好ましくなかった。
【発明の開示】
【発明が解決しようとする課題】
【０００６】  ゴミ掃き取り箇所の条件に対応して、多様にその形状を変化させてゴミを掃き込めるちり取りの発明を課題とする。
（イ）ちりとりの幅より狭い箇所での使用を可能にする柔軟性を持たせる。
（ロ）ちりとりの幅より掃き込み口が柔軟に広がり、広い箇所で使い易くする。
（ハ）平坦な箇所だけでなく、凹凸起伏のある箇所でもゴミ取りが可能な掃き込み口の形状を考案する。
（ニ）ちりとりに掃き込んだゴミを捨てる際、再びゴミ又はチリを空気中に散逸を防ぐゴミ袋を直結する仕様を課題とする。
【課題を解決するための手段】
【０００７】  多様なゴミとり箇所の条件に対応のため下記の手段でちりとりの形状を変化させる事により課題を解決した。
課題（イ）の手段    ちりとり本体を柔軟なプラスチックス又は薄い鋼板でメガホン型の円錐に作り、そのちりとり本体を炭挟み状の把手で挟む様に取り付けて成るちりとりで、把手にちりとり本体を挟む力を強く加え事により、ちりとりの幅を狭めることができ、狭い箇所にも持ち込める。
課題（ロ）の手段    柔軟なプラスチックス又は薄い鋼板でできたメガホン型ちりとりは、把手を持って地面又は床面に軽く押し付ける事により、ちりとりのゴミ掃き込み口は円形から楕円形に変形してその幅が広がる。
課題（ハ）の手段    凹凸起伏の箇所での条件は、ゴミ掃き込み口の先端が細く尖っている事と、その先端部分が柔軟で凹凸起伏に追従できる事で、本考案に於いては、円錐体を斜めに切ったゴミ掃き込み口先端をさらに延ばして尖らす事と、その材質の柔軟性によって凹凸起伏の箇所に対応する。
課題（ニ）の手段    メガホン型ちりとりの小開口部位にゴミ袋を輪ゴムのバンドで取り付けられるように考案した。尚、ゴミ袋の抜け落ち防止のためこの小開口部の外周に引っ掛かりのリブを設けて保持を確実にした。又、この小開口部を上向けにデザインする事により一旦ゴミ袋に収納されたゴミの逆流を防ぐ効果が向上する。ゴミ捨ては、ゴミの入った袋をちりとり本体から外して、ゴミ袋を連結していた輪ゴムのバンドでゴミ袋の口を堅く縛り廃棄する。
【発明の効果】
【０００８】  ちりとりのかたちをメガホン型の円錐体に考案する事により、ちりとり本体に変形可能な弾力を与える事ができ材質の柔軟性と相俟って、使用箇所の状態によってちりとりを自由に変形して、広い場所にも狭い溝のような箇所にも使え、凹凸起伏の大きい箇所にもゴミ掃き入れ口先端を長く尖らす事により起伏に追従してゴミが容易に掃き込める様に成った。又、ゴミ袋連結の考案により、風によるちりとり内よりのゴミの飛散と、ゴミ捨て時に於けるゴミ又はチリの飛散防止が可能に成った。又、メガホン型のちりとり自体も横風を防ぎゴミ飛散をさせにくい構造を持つものである。
【発明を実施するための最良の形態】
【０００９】  ゴミ掃き取り箇所の広い、狭い、地面又は床面の凹凸起伏にも対応して、しかも掃き集め収納したゴミは飛散させないちりとりの最良の形態は、弾力があり変形に柔軟に対応できる筒形即ちメガホン型の円錐体であり、その両端部にゴミ掃き込み口となる大開口部とゴミを連結するゴミ袋に排出する小開口部を持つ形状の本体とする。尚、大開口部は、ゴミの掃き込みが仕易い様に斜めにカットし、さらにその先端部を少し尖らす様に延ばして置く事により床面の凹凸隆起にも柔軟に対応できる。把手は炭挟みの形状で、メガホン型ちりとりの本体を挟む様なかたちで取り付けて成る形態で、把手の挟み握り圧と、地面又は床面への押さえ圧により本ちりとりのゴミ掃き込み口の幅と形状を自在に変えられるものである。ゴミ袋はちりとり本体の小口径部に輪ゴムのバンドにて連結し、ゴミ掃き込み口より掃き込んだゴミを収納する。
【実施例１】
【００１０】  図１は、本発明のメガホン型ちりとり本体の斜視図で、ゴミ掃き込み口（１）の大開口部は斜めにカットされゴミを掃き込み易くしている。この斜めカットの尖端部（５）は、カット面より尖る様に延ばし地面又は床面の凹凸起伏に柔軟に添う様にしている。ゴミ袋を取り付ける小開口部（２）は、メガホン型の円錐体の垂線に直角にカットする。図７は、把手の斜視図で、把手を接続するビス孔（４）を通してちりとり本体を挟むかたちでビス及びナットによって接続する。尚、接続した把手は、可動で、その斜視図は図８に示す。【００１１】  図９は、広い場所でのゴミ掃き込みが仕易い様に、把手を地面又は床面に押すようにしてゴミ掃き込み口の幅を広げた時の正面図である。図１０は、狭い箇所のゴミ掃き込みに、把手を炭挟みの様に強く挟んでちりとりの幅を狭くした時の正面図である。【００１２】  図１１は、ちりとり本体の後部小開口部にゴミ袋を輪ゴムのバンドで連結した時の斜視図である。図１２は、ちりとり内に掃き込んだゴミが掃き込み口を上に向ける事によりゴミ袋に落下して行く状態を示す斜視図である。
【実施例２】
【００１３】  図１３は、本発明のメガホン型ちりとりの後部小開口部を斜め上向きにデザインした斜視図で、その特長は、ゴミ袋内に収納したゴミのちりとり内への逆流を防ぐ効果と、ゴミ袋を連結していない状態でも、ちりとり内に掃き込んだゴミは、この小開口部よりこぼれ落ちる事なく、ちりとりとしての機能を維持するものである。
【産業上の利用可能性】
【００１４】  狭い箇所でも使用可能、ゴミの飛散防止、ゴミは袋ごと捨て再飛散が無い、等の機能から用途は、各種製造工場の狭い機械間の清掃、又は落ちた部品の掃き集め、各種試験室の埃やチリを嫌う場所、医院や病院施設にて狭い箇所の部分清掃で特に埃やチリを嫌う場所、小型に作りＯＡのデスク上の清掃や食堂、レストランのテーブル上の清掃に有効。勿論、家庭に於ける電気掃除機の補助手段として狭い箇所の部分清掃や側溝の中等の清掃に威力を発揮する。
【図面の簡単な説明】
【００１５】
【図１】  メガホン型ちりとり本体の斜視図
【図２】  ちりとり本体の側面図
【図３】  ちりとり本体の正面図
【図４】  ちりとり本体の背面図
【図５】  ちりとり本体の平面図
【図６】  ちりとり本体の底面図
【図７】  炭挟み型把手の斜視図
【図８】  ちりとり本体に把手を取り付けた斜視図で、把手の可動性を示す
【図９】  把手を下に押し、ちりとり掃き込み口を広げた時の正面図
【図１０】  把手を強く挟み、ちりとり幅を狭くした時の正面図
【図１１】  ちりとり後部の小開口部にゴミ袋を連結した時の斜視図
【図１２】  掃き込み口を上に向け、ゴミ袋にゴミを落とすちりとりの斜視図
【図１３】  後部の小開口部を斜め上向きにデザインしたちりとりの斜視図
【図１４】  図１３の側面図
【図１５】  図１３の正面図
【図１６】  図１３の背面図
【図１７】  図１３の平面図
【図１８】  図１３の底面図
【符号の説明】
【００１６】  １  ゴミ掃き込み口
２  後部開口部
３  後部開口部のゴミ袋連結用突起リブ
４  把手を接続するビス孔
５  狭く凹凸不整床面対応の、延長され尖ったゴミ掃き込み口先端部
６  把手接続ビス
７  ゴミ袋
８  ゴミ袋連結バンド（輪ゴム）